(57)【要約】【課題】測定器を比較的安価な構成で簡単にインターネットに接続できる遠隔測定システムを実現すること。【解決手段】インターネットに接続された測定器と測定器の操作制御を行う制御端末を含む遠隔測定システムにおいて、  前記測定器と制御端末はUpnpを介して接続されていることを特徴とするもの。【選択図】  図１
2015046817.tif 000002
【特許請求の範囲】
【請求項１】
インターネットに接続された測定器と測定器の操作制御を行う制御端末を含む遠隔測定システムにおいて、
前記測定器と制御端末はUpnpを介して接続されていることを特徴とする遠隔測定システム。
【請求項２】
前記測定器には前記ルータからグローバルIPアドレスを取得して前記制御端末にメール送信する機能が設けられ、
前記制御端末には前記測定器から送られてきたメールから前記グローバルIPアドレスを取得して前記測定器に接続する機能が設けられていることを特徴とする請求項１に記載の遠隔測定システム。
【発明の詳細な説明】
【技術分野】
【０００１】
本発明は、遠隔測定システムに関し、詳しくは、インターネットに接続された測定装置を含む遠隔測定システムの改良に関する。
【背景技術】
【０００２】
近年の測定装置は、インターネットに接続できるように構成されているのが一般的である。図６は、このように構成された測定装置において従来から行われているインターネットへの接続手順の一例を示す説明図である。
【０００３】
図６において、測定器１は動的なグローバルIPアドレスを有するブロードバンドルータ２を介してインターネット３に接続されている。インターネット３には、DDNS（Dynamic Domain Name System）４および測定器１の操作制御を行う制御端末５も接続されている。
【０００４】
このようなシステム構成における測定器１は、以下に示すようなＳ１〜Ｓ４の手順で外部から遠隔操作される。
Ｓ１）ユーザーはあらかじめDDNS４へドメインネームを登録しておき、ブロードバンドルータ２がグローバルIPアドレスＢをDDNS４へ登録する。
Ｓ２）ＰＣやスマートフォンなどの測定器１の制御機能を有する制御端末５からブロードバンドルータ２のドメインネームをDDNS４へ問い合わせる。
【０００５】
Ｓ３）DDNS４は、ブロードバンドルータ２のグローバルIPアドレスＢを回答する。
Ｓ４）制御端末５は、ブロードバンドルータ２のグローバルIPアドレスＢに基づいて測定器１に接続する。
【０００６】
特許文献１には、ネットワークに接続されていない遠隔の被操作装置を、ネットワークを介して動作させる遠隔操作システムおよび遠隔操作方法の構成が記載されている。
【先行技術文献】
【特許文献】
【０００７】
【特許文献１】特開２００６−３４５２４０号公報
【発明の開示】
【発明が解決しようとする課題】
【０００８】
ところが、上記のようなインターネット接続にあたっては、ブロードバンドルータ２が固定グローバルIPアドレスＢを持たなければならず、そのためのコストがかかるという問題がある。
【０００９】
一方、携帯電話網によるインターネット接続にあたっては、固定IPアドレスを持つことができないために、一般的にはDDNSの仕組みに基づく動的グローバルIPアドレスを利用して外部接続することが行われている。
【００１０】
しかし、DDNSの仕組みを利用するためには、事前にDDNSへドメインネームを登録しておかなければならず、その登録作業はネットワーク初心者には簡単ではない。
【００１１】
なお、DDNSへの自動登録が行える産業用ルータが商品化されているが、産業用ルータは高価なうえ、専用として使用することから利便性が低い。
また、ルータの設定は初心者には簡単ではない。
【００１２】
本発明は、これらの課題を解決するものであって、その目的は、測定器を比較的安価な構成で簡単にインターネットに接続できる遠隔測定システムを実現することにある。
【課題を解決するための手段】
【００１３】
このような課題を達成するために、本発明のうち請求項１記載の発明は、
インターネットに接続された測定器と測定器の操作制御を行う制御端末を含む遠隔測定システムにおいて、
前記測定器と制御端末はUpnpを介して接続されていることを特徴とする。
【００１４】
請求項２記載の発明は、請求項１に記載の遠隔測定システムにおいて、
前記測定器には前記ルータからグローバルIPアドレスを取得して前記制御端末にメール送信する機能が設けられ、
前記制御端末には前記測定器から送られてきたメールから前記グローバルIPアドレスを取得して前記測定器に接続する機能が設けられていることを特徴とする。
【発明の効果】
【００１５】
これらの構成によれば、測定器や制御端末がインターネットを介して接続される遠隔測定システムを、DDNSを使用しない比較的安価で簡単な構成により実現できる。
【図面の簡単な説明】
【００１６】
【図１】本発明の一実施例を示すブロック図である。
【図２】Upnpプロトコルの階層説明図である。
【図３】Upnpの基本的な通信手順説明図である。
【図４】測定器１にインストールされるソフトウェアの基本的な動作説明図である。
【図５】制御端末５にインストールされるソフトウェアの基本的な動作説明図である。
【図６】従来から行われているインターネットへの接続手順の一例を示す説明図である。
【発明を実施するための最良の形態】
【００１７】
以下、本発明の実施の形態について、図面を用いて詳細に説明する。図１は本発明の一実施例を示すブロック図であり、図６と共通する部分には同一の符号を付けている。図１と図６の相違点は、インターネット３にはDDNS４が接続されていないことである。
【００１８】
図１において、測定器１にインストールされるソフトウェアにはメールを送信する機能が設けられ、ＰＣなどの制御端末５にインストールされるアプリケーションソフトウェアには、受信可能なメールアドレスが設定されている。ブロードバンドルータ２は、Upnp(Universal Plug and Play)に対応するものである。
【００１９】
なお、Upnpはネットワーク機器をPlug and Play感覚で使用するための規格である。Upnp対応機器は自らの機能や情報を通知し、アプリケーションはそれらの情報を検出制御できる。Upnpは、TCP/IP,HTTP,XMLなど各種の標準技術を使って実現されている。
【００２０】
図２は、Upnpプロトコルの階層説明図である。IPをベースとしてUDP(User Datagram Protocol)とTCP(Transmission Control Protocol)が積層されていて、UDPにはHTTPMUとHTTPUが積層され、TCPにはSOAP(Simple Object Access Protocol)と２つのHTTPが積層されている。
【００２１】
HTTPMUにはSSDP（Simple Service Discovery Protocol）とGENA(General Event Notification Architecture)が設けられ、HTTPUにはSSDPが設けられている。そして、TCPの他方のHTTPにはGENAが設けられている。
【００２２】
図１のシステム構成における測定器１は、以下に示すようなＳ１〜Ｓ４の手順で外部から遠隔操作される。
Ｓ１）測定器１が、Upnpを使用してブロードバンドルータ２のグローバルIPアドレスＢを取得する。
Ｓ２）測定器１は、ブロードバンドルータ２のグローバルIPアドレスＢの情報を制御端末５にメール送信する。
【００２３】
Ｓ３）ＰＣなどの制御端末５にインストールされた制御アプリケーションが測定器１から送信されたメールを読み取り、ブロードバンドルータ２のグローバルIPアドレスＢを取得する。
Ｓ４）ＰＣなどの制御端末５がブロードバンドルータ２のグローバルIPアドレスＢに基づき測定器１に接続する。
【００２４】
図３は、測定器１とUpnp対応ルータ２との間におけるUpnpの基本的な通信手順説明図である。大きくは、デバイスディスカバリーとデバイスディスクリプションとコントロールの３段階に分けられる。
【００２５】
デバイスディスカバリーの段階では、測定器１からルータ２に対してUDPマルチキャストで検出要求が送信される。ルータ２はこの要求に応答して測定器１に対してUDPユニキャストで存在通知を送信する。
【００２６】
デバイスディスクリプションの段階では、測定器１からルータ２に対してTCP&HTTPでデバイスディスクリプタ要求が送信される。ルータ２はこの要求に応答して測定器１に対してXML形式のデバイスディスクリプタ応答を送信する。
【００２７】
コントロールの段階では、測定器１からルータ２に対してTCP&HTTPでアクション要求が送信される。ルータ２はこの要求に応答して測定器１に対してXML形式の結果応答を送信する。
【００２８】
図４は、測定器１にインストールされるソフトウェアの基本的な動作説明図である。測定器１のソフトウェアは、ブロードバンドルータにグローバルIPアドレスを問い合わせる（ステップＳ１）。ブロードバンドルータは、前回記憶したグローバルIPアドレスを呼び出し、今回取得したグローバルIPアドレスと比較する（ステップＳ２）。前回のグローバルIPアドレスと同じか否かを判断し（ステップＳ３）、前回のグローバルIPアドレスと同じであればステップＳ１に戻り、前回のグローバルIPアドレスと同じでなければ新しいグローバルIPアドレスを記憶し（ステップＳ４）、そのグローバルIPアドレスを制御端末５にメール送信する（ステップＳ５）。
【００２９】
図５は、制御端末５にインストールされるソフトウェアの基本的な動作説明図である。制御端末５のソフトウェアは、測定器１から送信されたメールを読み取る（ステップＳ１）。そのメールからグローバルIPアドレスが取得できたか否かを判断し（ステップＳ２）、グローバルIPアドレスが取得できた場合はそのグローバルIPアドレスを有する測定器１へ接続し（ステップＳ３）、グローバルIPアドレスが取得できなかった場合はステップＳ１に戻って再度測定器１からのメールを読み取る。
【００３０】
測定器１へ接続した場合は、測定器１からの応答の有無を確認する（ステップＳ４）。測定器１からの応答が確認できた場合は接続が確立するが（ステップＳ５）、測定器１からの応答が確認できない場合はステップＳ１に戻って再度測定器１から送信されたメールを読み取る。
【００３１】
このような構成によれば、DDNSを使用しないことから安価な機材が使用でき、またテザリング機能のある手持ちのスマートフォンなどでの通信も可能になる。
【００３２】
そして、DDNS契約も不要になるので情報漏えいのリスクを軽減できる。
【００３３】
Upnpを使用し、測定器とＰＣなどの制御端末５へインストールするアプリケーションソフトウェアへのメールアドレス設定だけで動作するため、初心者でも簡単に接続することができる。
【００３４】
さらに、インターネットを介した遠隔操作において携帯電話網を使用できることから、人里離れた山奥や海上など有線網が設備されていない場所で機器の操作や画面表示の判断などでエキスパートに助言を求めたい場合でも、常時携帯しているスマートフォンなどを使用して突発的な遠隔操作の要求に対応することができる。
【００３５】
以上説明したように、本発明によれば、DDNSを使用しない比較的安価で簡単な構成により、測定器や制御端末をインターネットを介して接続できる遠隔測定システムを実現できる。
【符号の説明】
【００３６】
１  測定器
２  ブロードバンドルータ
３  インターネット
５  制御端末
【図１】
2015046817.tif 000003
【図２】
2015046817.tif 000004
【図３】
2015046817.tif 000005
【図４】
2015046817.tif 000006
【図５】
2015046817.tif 000007
【図６】
2015046817.tif 000008